(57)【特許請求の範囲】
【請求項１】
複数の送風機と、
各送風機のそれぞれに接続された複数の第一ダクトであって、各送風機の排気側に圧力調整弁と逆止弁とが順次設けられた複数の第一ダクトと、
複数の第一ダクトを合流させた第二ダクトであって、送風対象に向けて延びる第二ダクトと、
複数の送風機のうちの少なくともいずれか一つの送風機の駆動を停止したときに、駆動中の送風機からの風の一部を停止中の送風機に送るバイパス系統とを備え、
該バイパス系統は、少なくともいずれか一つの第一ダクトと少なくともいずれか一つの他の第一ダクトに接続された送風機とを接続した第一バイパスダクトと、前記少なくともいずれか一つの他の第一ダクトと少なくともいずれか一つの第一ダクトに接続された送風機とを接続した第二バイパスダクトとを備え、駆動中の送風機に対応して、バイパス系統における送風経路を第一バイパスダクトと第二バイパスダクトとのいずれか一方に切り替える切替手段を備え、
前記第一バイパスダクトは、前記少なくともいずれか一つの第一ダクトを流れる風の一部を取り出すべく、該少なくともいずれか一つの第一ダクトにおける圧力調整弁と逆止弁との間に接続されるとともに、前記他の第一ダクトに接続された送風機の羽根を、該他の第一ダクトに向けて送風する回転方向に回転させるべく、前記他の第一ダクトに接続された送風機のケーシングに接続され、
前記第二バイパスダクトは、前記少なくともいずれか一つの他の第一ダクトを流れる風の一部を取り出すべく、該少なくともいずれか一つの他の第一ダクトにおける圧力調整弁と逆止弁との間に接続されるとともに、前記少なくともいずれか一つの第一ダクトに接続された送風機の羽根を、該少なくともいずれか一つの第一ダクトに向けて送風する回転方向に回転させるべく、前記少なくともいずれか一つの第一ダクトに接続された送風機のケーシングに接続された
ことを特徴とする送風機のフレッチング防止機能付き送風系統。
【発明の詳細な説明】
【技術分野】
【０００１】
本発明は、複数の送風機と、複数の送風機のそれぞれに接続された複数の第一ダクトと、複数の第一ダクトを合流させた第二ダクトを備えた送風系統であって、送風機のフレッチングを防止したフレッチング防止機能付き送風系統に関する。
【背景技術】
【０００２】
従来より、複数の送風機と、複数の送風機のそれぞれに接続された複数の第一ダクトと、複数の第一ダクトを合流させた第二ダクトとを備え、送風機からの風を第一ダクト、第二ダクトを介して送風対象に送出し、送風対象を冷却する送風系統が知られている。
【０００３】
以下、この種の送風系統を備えた発電プラントを例にとって説明する。該発電プラントは、図３に示す如く、基礎Ｂ上に設置されたボイラＡと、これを冷却するための送風系統を備える。図中の符号Ｖは、バーナーである。
【０００４】
該送風系統は、図４に示す如く、各送風機Ｆ１，Ｆ２のそれぞれに接続された複数の第一ダクト１０，１０と、複数の第一ダクト１０，１０を合流させた第二ダクト１１を備える。なお、図３及び図４では、便宜上、２つの送風機Ｆ１，Ｆ２を図示するものとする。
【０００５】
各送風機Ｆ１，Ｆ２は、羽根Ｗを有している。そして、複数の送風機Ｆ１，Ｆ２には、常態において駆動されるものと、停止されるものとがある。また、常態において停止される送風機Ｆ２は、常態において駆動される送風機Ｆ１に代わって、メンテナンス時に駆動される。
【０００６】
第一ダクト１０は、送風機Ｆ１，Ｆ２の排気側に圧力調整弁１００を有する。この圧力調整弁１００の出口側に、逆止弁１０１が設けられる。この逆止弁１０１によって、送風機Ｆ１，Ｆ２からの風が送れる流通方向が制御される。
【０００７】
第二ダクト１１は、第一ダクト１０の風を合流させてボイラＡに送る。
【０００８】
そして、複数の送風機Ｆのうち、常態では、少なくとも１台の送風機Ｆ１が駆動され、残りの送風機Ｆ２が停止される。一方、メンテナンス時では、駆動されていた送風機Ｆ１が停止され、停止される送風機Ｆ２のうち少なくとも１台が駆動される。
【先行技術文献】
【特許文献】
【０００９】
【特許文献１】実用新案登録第２５６４７３１号公報
【発明の概要】
【発明が解決しようとする課題】
【００１０】
ところで、駆動中の送風機Ｆ１の振動は、各送風機Ｆ１，Ｆ２の送風系統１及び基礎Ｂを介して停止中の送風機Ｆ２に伝わる。このため、停止中の送風機Ｆ１の軸と軸受とが同じ位置で集中して接離することになり、この接離によって軸が損傷する（所謂フレッチングが起こる）。
【００１１】
そこで、本発明は、上記問題に鑑み、停止中の送風機のフレッチングを防止することができるフレッチング防止機能付き送風系統を提供することを目的とする。
【課題を解決するための手段】
【００１２】
本発明に係るフレッチング防止機能付き送風系統は、複数の送風機と、
各送風機のそれぞれに接続された複数の第一ダクトであって、各送風機の排気側に圧力調整弁と逆止弁とが順次設けられた複数の第一ダクトと、
複数の第一ダクトを合流させた第二ダクトであって、送風対象に向けて延びる第二ダクトと、
複数の送風機のうちの少なくともいずれか一つの送風機の駆動を停止したときに、駆動中の送風機からの風の一部を停止中の送風機に送るバイパス系統とを備え、
該バイパス系統は、少なくともいずれか一つの第一ダクトと少なくともいずれか一つの他の第一ダクトに接続された送風機とを接続した第一バイパスダクトと、前記少なくともいずれか一つの他の第一ダクトと少なくともいずれか一つの第一ダクトに接続された送風機とを接続した第二バイパスダクトとを備え、駆動中の送風機に対応して、バイパス系統における送風経路を第一バイパスダクトと第二バイパスダクトとのいずれか一方に切り替える切替手段を備え、
前記第一バイパスダクトは、前記少なくともいずれか一つの第一ダクトを流れる風の一部を取り出すべく、該少なくともいずれか一つの第一ダクトにおける圧力調整弁と逆止弁との間に接続されるとともに、前記他の第一ダクトに接続された送風機の羽根を、該他の第一ダクトに向けて送風する回転方向に回転させるべく、前記他の第一ダクトに接続された送風機のケーシングに接続され、
前記第二バイパスダクトは、前記少なくともいずれか一つの他の第一ダクトを流れる風の一部を取り出すべく、該少なくともいずれか一つの他の第一ダクトにおける圧力調整弁と逆止弁との間に接続されるとともに、前記少なくともいずれか一つの第一ダクトに接続された送風機の羽根を、該少なくともいずれか一つの第一ダクトに向けて送風する回転方向に回転させるべく、前記少なくともいずれか一つの第一ダクトに接続された送風機のケーシングに接続されたことを特徴とする。
【００１３】
かかる構成によれば、バイパス系統によって、複数の送風機のうちの少なくともいずれか一つの送風機の駆動を停止したときに、駆動側から送出される送風の一部を停止側に送出するようにしたため、駆動側から送出される送風の一部によって、停止中の送風機が微速で回転することになる。これにより、駆動中の送風機の振動による、停止中の送風機の軸の局所的な接離が防止されるようになり、フレッチングを防止することができる。
【００１４】
この場合、バイパス系統は、少なくともいずれか一つの第一ダクトと少なくともいずれか一つの他の第一ダクト又は該他の第一ダクトに接続された送風機とを接続した第一バイパスダクトと、前記少なくともいずれか一つの他の第一ダクトと少なくともいずれか一つの第一ダクト又は該少なくともいずれか一つの第一ダクトに接続された送風機とを接続した第二バイパスダクトとを備え、駆動中の送風機に対応して、バイパス系統における送風経路を第一バイパスダクトと第二バイパスダクトとのいずれか一方に切り替える切替手段を備えることが好ましい。
【００１５】
また、第一バイパスダクトにより、少なくともいずれか一つの第一ダクトと少なくともいずれか一つの他の第一ダクト又は該他の第一ダクトに接続された送風機とが接続される。また、第二バイパスダクトにより、前記少なくともいずれか一つの他の第一ダクトと少なくともいずれか一つの第一ダクト又は該少なくともいずれか一つの第一ダクトに接続された送風機とが接続される。そして、切替手段により、駆動中の送風機に対応して、バイパス系統における送風経路を第一バイパスダクトと第二バイパスダクトとのいずれか一方に切り替えられる。
【００１７】
また、送風機の羽根を第一ダクトに向けて送風する回転方向に向けて回転させる位置に送風可能となるように、第一バイパスダクトがいずれか一つの送風機のケーシングに接続され、送風機の羽根を第一ダクトに向けて送風する回転方向に向けて回転させる位置に送風可能となるように、第二バイパスダクトがいずれか一つの他の送風機のケーシングに接続されているため、駆動中の送風機から送出される送風の一部によって、停止中の送風機の羽根が順方向（駆動時と同一方向）に回転するようになり、停止中の送風機の吸気側が負圧になり、排気側が正圧になる。すなわち、停止中の送風機からの風向きが、駆動中の送風機から送風対象に対する風の向きと同じになる。これにより、駆動中の送風機に接続された第一ダクトから第二ダクトに向けて流れる風が、停止中の送風機に接続された第一ダクトに吸い込まれることを防止できる。これにより、第二ダクトに対して必要な送風が可能になる。
【発明の効果】
【００１８】
以上のように、本発明によれば、停止中の送風機のフレッチングを防止することができる。
【図面の簡単な説明】
【００１９】
【図１】図１は、本発明の一実施形態に係るフレッチング防止機能付き送風系統を示す概略構成図である。
【図２】図２は、同実施形態に係る送風機のフレッチング防止機能付き送風系統の変形例を示す概略構成図である。
【図３】図３は、複数の送風機と、送風対象の配置関係を示す概略構成図である。
【図４】図４は、従来の送風対象に対する送風系統を示す概略構成図である。
【発明を実施するための形態】
【００２０】
本発明の一実施形態に係るフレッチング防止機能付き送風系統について図１を参照しながら説明する。図１において、図４と同一符号は同一、もしくは相当するものを示し、これらのものについての説明は省略して、異なる点を説明する。なお、本実施形態においても、図３に示す発電プラントを例にとって説明することとし、図１では、便宜上、２つの送風機を図示するものとする。
【００２１】
本実施形態に係るフレッチング防止機能付き送風系統１は、図１に示す如く、複数の送風機Ｆ１，Ｆ２のうちの少なくともいずれか一つの送風機の駆動を停止したときに、駆動側から送出される送風の一部を停止側に送出するバイパス系統Ｘを備える。
【００２２】
バイパス系統Ｘは、一方の第一ダクト１０と他方の第一ダクト１０とを接続する第一バイパスダクト１と、他方の第一ダクト１０と一方の第一ダクト１０とを接続する第二バイパスダクト２とを備える。また、第一バイパスダクト１と第二バイパスダクト２とは、一部が共用されており、Ｈ型の経路となっている。具体的には、第一バイパスダクト１及び第二バイパスダクト２は、それぞれがクランク状になっている。
【００２３】
第一バイパスダクト１は、一方の圧力調整弁１００の出口ポートと一方の逆止弁１０１の入口ポートとの間にある一方の第一ダクト１０と、他方の送風機Ｆ２の排気側と他方の圧力調整弁１００の入口ポートとの間にある他方のダクト１０とを接続する。
【００２４】
また、第一バイパスダクト１は、一方の第一ダクト１０に接続された第一圧力調整弁１ａと、該第一圧力調整弁１ａに接続されるとともに、他方の第一ダクト１０に接続された第二圧力調整弁１ｂとを備える。
【００２５】
第一圧力調整弁１ａは、一方の圧力調整弁１００の出口ポートと一方の逆止弁１０１の入口ポートとの間にある一方の第一ダクト１０に接続される入口ポートを有する。
【００２６】
第二圧力調整弁１ｂは、他方の送風機Ｆ２の排気側と他方の圧力調整弁１００の入口ポートとの間にある他方のダクト１０に接続される出口ポートを有する。そして、第一圧力調整弁１ａの出口ポートと、第二圧力調整弁１ｂの入口ポートとが第一バイパスダクト１によって接続される。
【００２７】
第二バイパスダクト２は、他方の圧力調整弁１００の出口ポートと他方の逆止弁１０１の入口ポートとの間にある他方の第一ダクト１０と、一方の送風機Ｆ２の排気側と一方の圧力調整弁１００の入口ポートとの間にある一方のダクト１０とを接続する。
【００２８】
また、第二バイパスダクト２は、他方の第一ダクト１０に接続された第一圧力調整弁２ａと、該第一圧力調整弁２ａに接続されるとともに、一方の第一ダクト１０に接続された第二圧力調整弁２ｂとを備える。
【００２９】
第一圧力調整弁２ａは、一方の圧力調整弁１００の出口ポートと、一方の逆止弁１０１の入口ポートとの間にある第一ダクト１０に接続される入口ポートとを有する。
【００３０】
第二圧力調整弁２ｂは、一方の送風機Ｆ１の排気側と一方の圧力調整弁１００の入口ポートとの間にある一方のダクト１０に接続される出口ポートを有する。そして、第一圧力調整弁２ａの出口ポートと、第二圧力調整弁２ｂの入口ポートとが第二バイパスダクト２によって接続される。
【００３１】
そして、第一バイパスダクト１の第一圧力調整弁１ａ及び第二圧力調整弁１ｂ、及び第二バイパスダクト２の第一圧力調整弁２ａ及び第二圧力調整弁２ｂにより、切替手段３が構成される。この切替手段３により、駆動中の送風機に対応して、送風機からの送風経路を第一バイパスダクト１と第二バイパスダクト２とのいずれか一方に切り替えられる。
【００３２】
つぎに、本実施形態に係るフレッチング防止機能付き送風系統の使用態様について説明する。一方の送風機Ｆ１が駆動中で、他方の送風機Ｆ２が停止している場合、駆動中の送風機Ｆ１から送られる送風の一部がバイパス系統Ｘを介して停止中の送風機Ｆ２に送られる。これにより、停止中の送風機Ｆ２が微速で回転することになる。その結果、駆動中の送風機Ｆ１の振動による、停止中の送風機Ｆ２の軸の局所的な損傷（フレッチング）が防止されるようになる。
【００３３】
このように、本発明によれば、複数の送風機のうちの少なくともいずれか一つの送風機の駆動を停止したときに、駆動中の送風機から送られる送風の一部がバイパス系統Ｘを介して停止中の送風機に送られるようにしたため、停止中の送風機のフレッチングを防止することができる。
【００３４】
なお、本発明は、上記実施形態に限定されるものではなく、本発明の要旨を逸脱しない範囲で種々変更を加え得ることは勿論のことである。
【００３５】
例えば、前記実施形態の場合、いずれか一つの送風機Ｆ１に、バイパス系統Ｘの第一バイパスダクト１を接続し、他の送風機Ｆ２に、バイパス系統Ｘの第二バイパスダクト２を接続するようにしたが、図２に示す如く、送風機Ｆ１の羽根Ｗを第一ダクト１０に向けて送風する回転方向に向けて回転させる位置に送風可能となるように、第一バイパスダクト１をいずれか一つの送風機Ｆ１のケーシングＣ１に接続し、送風機Ｆ２の羽根Ｗを第一ダクト１に向けて送風する回転方向に向けて回転させる位置に送風可能となるように、第二バイパスダクト２をいずれか一つの他の送風機Ｆ２のケーシングＣ２に接続するようにしてもよい。
【００３６】
この場合、駆動中の送風機から送出される送風の一部によって、停止中の送風機の羽根Ｗが順方向（駆動時と同一方向）に回転するようになり、停止中の送風機の吸気側が負圧になり、排気側が正圧になる。すなわち、停止中の送風機からの風向きが、駆動中の送風機から送風対象に対する風の向きと同じになる。これにより、駆動中の送風機に接続された第一ダクト１０から第二ダクト１１に向けて流れる風が、停止中の送風機に接続された第一ダクト１０に吸い込まれることを防止できる。これにより、第二ダクト１１に対して必要な送風が可能になる。
【００３７】
また、前記実施形態の場合、便宜上、２台の送風機を例にとって説明したが、３台以上であってもよい。
【００３８】
また、前記実施形態の場合、第一バイパスダクト１と第二バイパスダクト２とは、一部が共用されているとしたが、それぞれが独立したものであってもよい。
【符号の説明】
【００３９】
Ｘ…バイパス系統、１…第一バイパスダクト、１ａ…第一圧力調整弁、１ｂ…第二圧力調整弁、２…第二バイパスダクト、２ａ…第一圧力調整弁、２ｂ…第二圧力調整弁、３…切替手段、１０…第一ダクト、１１…第二ダクト、Ｆ１，Ｆ２…送風機、Ｃ１，Ｃ２…ケーシング、Ｖ…バーナー（送風対象）
【図１】
0006000999.tif 000002
【図２】
0006000999.tif 000003
【図３】
0006000999.tif 000004
【図４】
0006000999.tif 000005